(57)【要約】【課題】太陽光を有効に利用し、効率よく太陽光発電を行うことができる土木用ブロックを提供する。【解決手段】開口部２ｄを備えた空間部２ａを有するブロック本体２と、太陽電池パネル３とからなり、  前記太陽電池パネル３は、下端部付近が前記空間部２ａの開口部２ｄ付近に固定されるとともに、上端部付近が前記空間部２ａ内に傾斜して固定され、該傾斜角度が前記下端部付近が固定された面を水平面とした場合に該水平面に対して５〜８０度の範囲であることを特徴とする土木用ブロックである。【選択図】図６
2011196016.tif 000002
【特許請求の範囲】
【請求項１】
開口部を備えた空間部を有するブロック本体と、太陽電池パネルとからなり、
前記太陽電池パネルは、下端部付近が前記空間部の開口部付近に固定されるとともに、上端部付近が前記空間部内に傾斜して固定され、該傾斜角度が前記下端部付近が固定された面を水平面とした場合に該水平面に対して５〜８０度の範囲であることを特徴とする土木用ブロック。
【請求項２】
ブロック本体が少なくとも上部材と下部材とからなり、
太陽電池パネルは、下端部付近が前記下部材内側の空間部の開口部付近に固定されるとともに、上端部付近が前記空間部内に傾斜して固定され、該傾斜角度が５〜８０度の範囲であることを特徴とする請求項１記載の土木用ブロック。
【請求項３】
上部材が円弧部からなり、下部材が平板部からなることを特徴とする請求項２記載の土木用ブロック。
【請求項４】
ブロック本体が上部材と、下部材と、該上部材と該下部材とを接続する中間部材とからなり、
太陽電池パネルが、下端部付近が前記下部材内側の空間部の開口部付近に固定されるとともに、上端部付近が前記空間部内に傾斜して固定され、該傾斜角度が５〜８０度の範囲であることを特徴とする請求項１記載の土木用ブロック。
【請求項５】
傾斜角度が２０〜６０度の範囲であることを特徴とする請求項１乃至４のいずれかに記載の土木用ブロック。
【請求項６】
下部材の側端から仕切壁が垂設されていることを特徴とする請求項２乃至５のいずれかに記載の土木用ブロック。
【請求項７】
下部材の外側に凸部が設けられるとともに、上部材の外側に前記凸部と係合する凹部が設けられていることを特徴とする請求項２乃至６のいずれかに記載の土木用ブロック。
【請求項８】
太陽電池パネルが左右に傾斜可能であることを特徴とする請求項１乃至７のいずれかに記載の土木用ブロック。
【発明の詳細な説明】
【技術分野】
【０００１】
本発明は、擁壁等に用いられる土木用ブロックに係り、更に詳しくは、擁壁等に用いられた土木用ブロックを利用して効率よく太陽光発電を行うことができる土木用ブロックに関する。
【背景技術】
【０００２】
従来より、切り土や盛り土に際し、土圧に対抗し土の崩壊を防ぐために広く擁壁が用いられている。例えば、道路に面する山や土手、河川の堤防等の斜面をコンクリート製の土留めブロックで斜面を覆い、必要に応じて、補強材やアンカー等で、盛土や、地盤とブロックを固定して土砂崩れ等を防ぐ土留め擁壁構造が用いられている（例えば、特許文献１参照）。
【０００３】
一方、太陽光を有効に活用できる技術としては、太陽光発電を行うための所謂太陽電池パネルを一体化した打ち込み型枠が提案されている（例えば、特許文献２参照）。
【先行技術文献】
【特許文献】
【０００４】
【特許文献１】特開平５−３１１６６０号公報
【特許文献２】特開平８−２３９９４８号公報
【発明の概要】
【発明が解決しようとする課題】
【０００５】
ところで、太陽光発電を行うには、太陽光発電システムを設置するスペースの確保が大きな問題となっている。この点に関して、土木用ブロックは、土留め用だけでも年間６００万ｍ2 と云われており、この広大な土木用ブロックを太陽光発電の設置スペースと利用すれば、二酸化炭素の排出等による地球温暖化等の環境問題が解消されるとともに、エネルギー問題も解決される可能性を秘めている。
しかるに、現状たるや、特許文献２に記載のように、僅かに打ち込み型枠が太陽光発電の設置スペースとして利用されているに過ぎない。
また、太陽光を有効に利用するためには、太陽光が太陽電池パネルに対し垂直に近い角度で入射されるのが好ましいのに対し、例えば、通常の建築物の壁面の角度は９０度、土留め擁壁の場合でも６０〜９０度と、かなり急斜面であるので、単に土木用ブロックの表面に太陽電池パネルを設けるだけでは発電効率が悪い。かくして、従来は野外や屋上での平面的利用に限られていた。
【０００６】
本発明は、上記課題に鑑みてなされたものであって、広大な面積を有する擁壁等の土木用ブロックを太陽光発電システムの設置場所として有効に活用するとともに、太陽光発電システムを特定の角度に設置して発電を効率的に行うことの出来る土木用ブロックを提供することを目的とする。
【課題を解決するための手段】
【０００７】
上記目的を達成するために、本発明の請求項１は、開口部を備えた空間部を有するブロック本体と、太陽電池パネルとからなり、
前記太陽電池パネルは、下端部付近が前記空間部の開口部付近に固定されるとともに、上端部付近が前記空間部内に傾斜して固定され、該傾斜角度が前記下端部付近が固定された面を水平面とした場合に該水平面に対して５〜８０度の範囲であることを特徴とする土木用ブロックを内容とする。
【０００８】
本発明の請求項２は、ブロック本体が少なくとも上部材と下部材とからなり、
太陽電池パネルは、下端部付近が前記下部材内側の空間部の開口部付近に固定されるとともに、上端部付近が前記空間部内に傾斜して固定され、該傾斜角度が５〜８０度の範囲であることを特徴とする請求項１記載の土木用ブロックを内容とする。
【０００９】
本発明の請求項３は、上部材が円弧部からなり、下部材が平板部からなることを特徴とする請求項２記載の土木用ブロックを内容とする。
【００１０】
本発明の請求項４は、ブロック本体が上部材と、下部材と、該上部材と該下部材とを接続する中間部材とからなり、
太陽電池パネルが、下端部付近が前記下部材内側の空間部の開口部付近に固定されるとともに、上端部付近が前記空間部内に傾斜して固定され、該傾斜角度が５〜８０度の範囲であることを特徴とする請求項１記載の土木用ブロックを内容とする。
【００１１】
本発明の請求項５は、傾斜角度が２０〜６０度の範囲であることを特徴とする請求項１乃至４のいずれかに記載の土木用ブロックを内容とする。
【００１２】
本発明の請求項６は、下部材の側端から仕切壁が垂設されていることを特徴とする請求項２乃至５のいずれかに記載の土木用ブロックを内容とする。
【００１３】
本発明の請求項７は、下部材の外側に凸部が設けられるとともに、上部材の外側に前記凸部と係合する凹部が設けられていることを特徴とする請求項２乃至６のいずれかに記載の土木用ブロックを内容とする。
【００１４】
本発明の請求項８は、太陽電池パネルが左右に傾斜可能であることを特徴とする請求項１乃至７のいずれかに記載の土木用ブロックを内容とする。
【発明の効果】
【００１５】
本発明の土木用ブロックは、開口部を備えたブロック本体内に５〜８０度の範囲で傾斜して固定されているので、春夏秋冬の太陽の位置に合わせて効率的に太陽光を受光でき、効率的な発電が可能である。
【００１６】
本発明の土木用ブロックは、内部に太陽電池パネルを含むので土木用ブロックで擁壁等を構築すると同時に太陽電池パネルが設置される。その結果、太陽電池パネルの設置場所の確保の問題が一挙に解消されるとともに、土木用ブロックを構築し、次いで、架台を組み立て該ブロックに太陽電池パネルを設置するという面倒な２工程が１工程化され、大巾な省力化とコストダウンが図られる。
【００１７】
本発明の土木用ブロックは、該ブロックの空間部内に太陽電池パネルが設けられているので、風が太陽電池パネルの裏側に入り込みにくく、強風で当該太陽電池パネルが吹き飛ばされる危険が少ない。また、太陽電池パネルはブロック本体の空間部内に設けられるため、工場であらかじめ太陽電池パネルを組み込んでおくことにより現場における煩雑な組立作業を減らすことができるので、施工コストを低廉に抑えることができる。更に、太陽電池パネルはブロック本体の空間部内に設置されているので、ブロック本体が太陽電池パネルを保護する役割を果たし、保管や運搬中に太陽電池パネルを損傷したりする虞れが小さい。
【００１８】
さらに、太陽電池パネルを左右に傾斜可能とすることにより、朝から夕までの太陽の位置に合わせて一日中太陽電池パネルの角度を適切な角度に調節可能であるので、太陽光の利用効率、即ち、発電効率を大幅に向上させることができる。
【００１９】
太陽電池パネルを少なくとも上部材と下部材とからなり、太陽電池パネルを上部材と下部材との間で形成される空間部内で固定可能とすれば、簡単な機構で太陽電池パネルを容易且つ強固に固定することができる。
【００２０】
下部材の側端に仕切壁を垂設すれば、当該土木用ブロックの下方の土砂が左右に流れでることによる土留め壁の変形や崩壊を防ぐことができる。
【００２１】
下部材の外側に凸部を設けるとともに、上部材の外側に前記凸部と係合する凹部を設ければ、上下の土木用ブロックの位置合わせ及び積み重ねが容易になり施工性が高められる。
【図面の簡単な説明】
【００２２】
【図１】図１は本発明の土木用ブロックの実施例１を示す正面図である。
【図２】図２（ａ）は図１の土木用ブロックＡ−Ａ断面図、（ｂ）、（ｃ）はそれぞれ太陽電池パネルの傾斜角度を変えた例を示す側面図である。
【図３】図３は太陽電池パネルの固定手段の一例を示す断面図で、（ａ）は上面図、（ｂ）はＢ−Ｂ断面図である。
【図４】図４は太陽電池パネルの固定手段の他の例を示す断面図で、（ａ）は上面図、（ｂ）はＣ−Ｃ断面図である。
【図５】図５（ａ）、（ｂ）は太陽電池パネルの端部に取り付けられた固定手段の例を示す断面図である。
【図６】図６（ａ）は本発明の土木用ブロックの実施例２を示す側面図であり、（ｂ）、（ｃ）はそれぞれ太陽電池パネルの傾斜角度を変えた例を示す側面図である。
【図７】図７（ａ）は本発明の土木用ブロックの実施例３を示す側面図であり、（ｂ）はその背面図である。
【図８】図８（ａ）は本発明の土木用ブロックの実施例４を示す側面図であり、（ｂ）は太陽電池パネルの傾斜角度を変えた例を示す側面図である。
【図９】図９（ａ）は本発明の土木用ブロックの実施例５を示す側面図であり、（ｂ）はその正面図である。
【図１０】図１０は本発明の実施例２（ｂ）に係る土木用ブロックを用いた施工例を示す説明断面図である。
【図１１】図１１は本発明の実施例３に係る土木用ブロックを用いた施工例を示す説明断面図である。
【図１２】図１２は本発明の実施例５に係る土木用ブロックを用いた施工例を示す説明断面図である。
【発明を実施するための形態】
【００２３】
本発明の土木用ブロックは、開口部を備えた空間部を有するブロック本体と、太陽電池パネルとからなり、
前記太陽電池パネルは、下端部付近が前記空間部の開口部付近に固定されるとともに、上端部付近が前記空間部内に傾斜して固定され、該傾斜角度が前記下端部付近が固定された面を水平面とした場合に該水平面に対して５〜８０度の範囲であることを特徴とする。
【００２４】
本発明の土木用ブロック１の好ましい態様としては、例えば図１、図２（ａ）、（ｂ）、（ｃ）の実施例１に示すように、上部材２Ｘと下部材２Ｙとからなり、開口部２ｄを備え、両部材２Ｘ、２Ｙ間に空間部２ａを有するブロック本体２と、太陽電池パネル３とからなり、前記太陽電池パネル３は、下端部付近が前記下部材２Ｙ内側の前記空間部２ａの開口部２ｄ付近に固定手段４により固定されるとともに、上端部付近が前記空間部２ａ内に固定手段４により傾斜して固定された構成からなる。図１中、７は土木用ブロック積み重ね用の接続ピンを挿入するためのピン受け穴である。
【００２５】
図２（ａ）は図１のＡ−Ａ断面図で、太陽電池パネル３は開口部２ｄ付近に固定され、該パネル３の下端部付近が固定された面を水平面としたとき（図２では下部材２Ｙの内側面）、該水平面に対する傾斜角度θは約７０度、図２（ｂ）では約３５度、図２（ｃ）では約１０度である。
尚、図中、太陽電池パネルに接続するための電気配線、電気配線用の穴等は省略してある。以下の実施例においても同様である。
【００２６】
ブロック本体２の材質は特に限定されないが、耐荷重性、耐変形性、耐久性等の点で、例えば、コンクリート製、セラミック製、高耐力の強化樹脂製とするのが好ましい。
本発明における太陽電池パネル３の形状、大きさについては特に限定されないが、太陽光を有効に活用するため、空間部２ａに収まる範囲で可能な限り大きいほうが好ましく、通常は開口部２ｄと略同じ形状、大きさ（例えば、一辺が１〜２ｍ程度）とされる。
太陽電池パネル３の種類については、太陽光を受けて起電力を得ることができるパネルであれば特に限定されない。
【００２７】
太陽電池パネル３の固定手段４については、太陽電池パネル３を空間部２ａの任意の位置に傾斜して固定可能であれば特に制限されず、例えば、図３〜図５に示したものが例示される。
図３の固定手段４は、太陽電池パネル３の支持部４ａと、その短辺側の両側に延設された固定部４ｂとからなる。４ｃは締結手段（図ではボルト）である。
図４の固定手段４は、太陽電池パネル３の支持部４ａと、その長辺側に延設された固定部４ｂとからなる。４ｃは締結手段（図ではボルト）である。
図５は太陽電池パネル３のフレームに固定部４ｂが取り付けられている例を示し、（ａ）は固定部４ｂが太陽電池パネル３の長辺側のフレームの両側に取り付けられ、（ｂ）は長辺側のフレームの片側に取り付けられている。４ｃは締結手段（図ではボルト）である。
尚、図中、固定部４ｂは真っ直ぐな板状に描かれているが、例えば図２に示すように、ブロック本体１の空間部２ａ内の太陽電池パネル３が固定される場所の形状に合わせて適宜湾曲されたり、また、後記するように屈曲される。
【００２８】
尚、図１中、上部材２Ｘ内側が円弧状に形成されているが、破線で示すように、下部材２Ｙとともに略コの字状を形成するようにしてもよい。（この場合は、略台形状の空間部２ａが形成される。）
【００２９】
また、本発明の土木用ブロック１の他の好ましい態様としては、例えば図６の実施例２に示すように、上部材２Ｘが円弧部２ｂからなり、下部材２Ｙが平板部２ｃからなり側面視で略Ｖ字状の空間部２ａを有するブロック本体２と太陽電池パネル３とからなり、前記太陽電池パネル３は、下端部付近が前記平板部２ｃ内側の前記空間部２ａの開口部２ｄ付近に取付手段４により固定されるとともに、上端部付近が固定手段４により空間部２ａ内に固定されている。
以下、本実施例２に基づいて詳細に説明するが、これらは特に断らない限り、上記実施例１にも適用されるものである。
【００３０】
本実施例において、ブロック本体２は当該ブロック本体の表面側に開口部２ｄを有する空間部２ａを有しており、この空間部２ａに太陽電池パネル３が所定の傾斜角度で設置される。
図６（ａ）では、空間部２ａは下側が平板部２ｃとされ上側が円弧部２ｂとされた略Ｖ字状であり、太陽電池パネル３の下端部付近が平板部２ｃ内側の開口部２ｄ付近に、また上端部付近が円弧部２ｂの内側の開口部２ｄ付近に固定手段４により傾斜固定されている。また、図６（ｂ）では、太陽電池パネル３の上端部付近が円弧部２ｂの略中央部に傾斜固定され、更に、図６（ｃ）では太陽電池パネル３の上端部付近が平板部２ｃと接するように傾斜固定されている。
上部材２Ｘを円弧部２ｂとすることにより、上記したように、空間部２ａの円弧部２ｂのいずれの位置にも固定することができる利点がある。
【００３１】
太陽電池パネル３を固定する位置については空間部２ａの中で任意に定めることができるが、春夏秋冬の太陽の位置に合わせて、又は四季を通じて、より効率的に太陽光を受光し効率的に発電できる位置に傾斜固定するのが好ましい。
太陽電池パネル３の発電効率が最も高くなるのは太陽光が太陽電池パネル３に対して垂直に入射する場合であるが、太陽の高さは季節ごとに異なるので、季節ごとの太陽の高さに応じて太陽電池パネル３の角度を変更するのが好ましいが、特に、四季を通じて１年中効率的に太陽光を受光できる角度とすることが好ましい。
【００３２】
例えば、夏季には太陽の位置は最も高くなるので太陽電池パネルの傾斜角度θは最も小さくするのが好ましく、冬季には太陽の位置は最も低くなるので太陽電池パネルの傾斜角度θは最も大きくするのが好ましく、春季、秋季には太陽の位置は夏季と冬季との概ね中間であるから、傾斜角度θも夏季と冬季の傾斜角度の略中間とするのが好ましい。
従って、太陽電池パネルの傾斜角度θは５〜８０度であり、夏季用には約５〜３０度、冬季用には約５０〜８０度、春季、秋季用には約２０〜６０度が好ましい。尚、四季を通じて１年中効率的に太陽光を受光できる点で約２０〜６０度が好ましく、３０〜５０度が一層好ましい。
図６において、太陽電池パネルの傾斜角度θは、（ａ）では約６０度で主として冬季用として好適で、（ｂ）では約４０度で春季、秋季用又は四季を通じての通年用として好適で、（ｃ）では約１０度で主として夏季用として好適である。
【００３３】
本発明においては、図７（ａ）、（ｂ）の実施例３に示すように、平板部２ｃの側端から仕切壁２ｇを垂設することもできる。この仕切壁２ｇを設けた土木用ブロック１を用いれば、土木用ブロック１の重みにより当該土木用ブロック１の下方で左右に流れでようとする土砂をこの仕切壁２ｇで堰止めることができるので、土砂の流出による土留め擁壁の変形や崩壊を防ぐことができる。また、この仕切壁２ｇの形状を変えることにより現場の緯度に合せて上記開口部２ｄの角度を調節することができる。
【００３４】
また、図６及び図７に示すように、開口部２ｄ付近の平板部２ｃ外側に凸部２ｅを設けるとともに、開口部２ｄ付近の円弧部２ｂ外側に前記凸部２ｅと係合する凹部２ｆを設けることもできる。このような凸部２ｅ及び凹部２ｆを設ければ、下側の土木用ブロック１の凹部２ｆに上側の土木用ブロック１の凸部２ｅを係合させることにより、土木用ブロック１同士の接続が強固になるばかりでなく、土木用ブロックの位置あわせ及び積み重ねも容易になり施工性が高められる。
【００３５】
また、図示しないが、図１の側壁２Ｚのように、空間部２ａの側部を防風壁で覆うこともでき、これにより太陽電池パネル３の裏側に横風が入り込んで、当該太陽電池パネル３が吹き飛ばされる等のトラブルを防ぐことができる。この場合、全ての土木用ブロック１に防風壁を設ける必要はなく、また、擁壁全体の両側部だけに設けても効果はあるが、好ましくは土木用ブロック１の数個〜十数個おきに設けるようにするのが好ましい。この防風壁は土木用ブロック１と一体的に設けてもよく、また、本発明の土木用ブロックを用いて擁壁を施工するときに隣接する土木用ブロック同士の間に適切な板状物を介設してもよい。
【００３６】
また、図１に示したように、上下又は左右に隣接する土木用ブロック１を接続するための接続ピンを挿入するピン受け穴を端面に設けたり、また、接続板をボルト締めするためのボルト穴を設けたり、電気配線用の穴等を設けることができる。また、後記するように、ブロック本体２の後面に、この本発明における土木用ブロック１を配設した後、土圧に耐えて擁壁が変形せず維持されるように補強材６に結合するための連結ブラケット２ｈを埋設してもよい。なお、ここでいう補強材６とは、ポリエステル、アラミド繊維、塩ビ、ＰＰ、ＰＥ等の合成樹脂や金属によって形成された帯状、面状のもの、排水機能を有する層厚管理材等をいう。
【００３７】
また、図８（ａ）、（ｂ）に示す実施例４に示すように、上部材２Ｘ、下部材２Ｙ、両部材を接続する中間部材２Ｗとからなる略コの字状からなり矩形状の空間部２ａを有するブロック本体２と、太陽電池パネル３とからなり、前記太陽電池パネル３は下端部付近が下部材２Ｙの内側の前記空間部２ａの開口部２ｄ付近に取付手段４により固定されるとともに、上端部付近が固定手段４により前記空間部２ａの内奥部に固定された構造とすることもできる。図８（ａ）では太陽電池パネル３の傾斜角度θは約８０度、図８（ｂ）では約６０度である。尚、太陽光を遮るのを少なくし利用効率を高めるため、土木用ブロック１の上部材２Ｘの内側が中間部材２Ｗに向かって斜降するテーパー状とされているが、土木用ブロックは法面等において傾斜させて使用する場合もあるので、このテーパー部は省略しても差し支えない。
【００３８】
また、本発明の土木用ブロックは、左右に傾斜可能とすることも可能である。このように構成することにより、朝から夕までの太陽の移動に合わせて太陽電池パネル３を左右に傾斜させ、１日中効率よく太陽光を受光することができる。左右の傾斜角度は５〜３０度程度が好ましい。傾斜可能に取り付ける手段としては、特に制限されず、例えば、軸と軸受、伸縮可能なアーム等が例示される。
図９（ａ）、（ｂ）に示す実施例５では、図８（ａ）に示した土木用ブロック１において、上部材２Ｘ、下部材２Ｙをそれぞれ長くし、太陽電池パネル３の下端部付近を開口部２ｄよりも少し内側寄りの下部材２Ｙに、該パネル３の上端部付近を少し開口部２ｄ寄りの上部材２Ｘに回動自在に取り付け、太陽電池パネル３を左右に傾斜可能に固定されている。このように取り付けることにより、太陽電池パネル３を左右に傾斜させても該パネル３はブロック本体２内に収めることができる。尚、図９では、軸及び軸受からなる固定手段４により、太陽電池パネル３が左右に傾斜可能に取り付けられている。
【００３９】
次に、図１０に基づいて、図６（ｂ）に示した実施例２の土木用ブロック１を用いて土留め擁壁を形成する施工例１について説明する。
【００４０】
まず、基礎工事として、現場の対象となる地面を掘削した後、ここに栗石等が敷かれ、さらに所定寸法の型枠にコンクリートが打設されてコンクリート基盤が形成される（図示せず）。続いて、このコンクリート基盤上に根石ブロック５が配設され、固定される。
【００４１】
次に、Ｌ型、矩形状、台形状等からなる根石ブロック５（図ではＬ型）の下部に設けられた連結ブラケット２ｈに、補強材６が取り付けられる。その後更に、図１０における１段目の２点鎖線の位置まで土砂が敷均され、前端部分を所定の傾斜角度（本施工例の場合は約１１°）の斜面としてから、土木用転圧ローラ等により固められる。
【００４２】
次に、斜面部分に１段目の土木用ブロック１が載置され、必要に応じて斜面と土木用ブロック１の間に砂などを充填してから、所定長さの接続ピン（図１参照）や接続板（図示せず）を用いて、根石ブロック５の上端面と土木用ブロック１の下端面を接合する。この後、前述と同様に補強材６の一端が連結ブラケット２ｈに固定され、更にこの補強材６上に２段目の２点鎖線の位置まで前述と同様に再び土砂が敷均され、続いて、土砂が転圧されて固められる。
【００４３】
第２段目の土木用ブロック１も、上述と同様、土木用ブロック１が斜面に載置されて下段の土木用ブロック１と接続され、補強材６が連結ブラケット２ｈに固定され、２段目の２点鎖線の位置まで土砂が敷均されて固められ、第３段目以降の土木用ブロックも同様の作業を繰り返すことによって所定高さの擁壁の構築が完了する。
【００４４】
次に、図１１に、図７に示した実施例３の土木用ブロック１を用いて土留め擁壁を構築する施工例２を示す。擁壁の構築方法は上記施工例１と同様である。
この土木用ブロック１は仕切壁２ｇが垂設されているので、土砂の流出が仕切壁２ｇにより堰止められ、長期に亘って変形せず綺麗な擁壁が維持される。
【００４５】
次に、図１２に、図９に示した実施例５の土木用ブロック１を用いて土留め擁壁を構築する施工例３を示す。擁壁の構築方法は上記施工例１、２と同様である。
この土木用ブロック１は、四季を通じて効率的に太陽光を利用でき、発電効率を高めることができるばかりでなく、太陽電池パネル３が左右に傾斜角度が調節できるので、朝から夕までの太陽光の動きに合わせて調節でき、太陽光を一日中効率よく受光し、効率的な発電が可能である。
【００４６】
以上、土留め用の土木用ブロックを例に挙げて説明したが、本発明の土木用ブロックは、土留め等のブロックに限られず、橋脚、貯水池やダムを形成するための壁体、各種建築物や構築物の外壁等に用いられるブロック等を含むものである。
【産業上の利用可能性】
【００４７】
本発明の土木用ブロックは、太陽電池パネルを含むので、土木用ブロックで擁壁等を構築すると同時に太陽電池パネルが設置されるので、広大な面積を占める土木用ブロックを太陽電池パネルの設置場所として有効に活用することができる。従って、地球温暖化等の環境問題及びエネルギー問題が一挙に解消される。
また、当該太陽電池パネルはブロック本体内で５〜８０度に傾斜角度に設置されているので、太陽の高さの異なる季節にあわせて太陽光を最も効率的に活用することができる。特に、２０〜６０度、更に好ましくは３０〜５０度の傾斜角度に設置することにより、四季を通じて効率的に太陽光を利用でき、発電効率を高めることができる。
更に、太陽電池パネルを左右に傾斜可能とすることにより、朝から夕までの１日中の太陽の動きに合わせて効率的に受光でき、その有用性は極めて大である。
【符号の説明】
【００４８】
１  土木用ブロック
２  ブロック本体
２Ｘ  上部材
２Ｙ  下部材
２Ｚ  側壁
２Ｗ  中間部材
２ａ  空間部
２ｂ  円弧部
２ｃ  平板部
２ｄ  開口部
２ｅ  凸部
２ｆ  凹部
２ｇ  仕切壁
２ｈ  連結ブラケット
３  太陽電池パネル
４  固定手段
４ａ  支持部
４ｂ  固定部
４ｃ  締結手段（ボルト）
５  根石ブロック
６  補強材
７  ピン受け穴
【図１】
2011196016.tif 000003
【図２】
2011196016.tif 000004
【図３】
2011196016.tif 000005
【図４】
2011196016.tif 000006
【図５】
2011196016.tif 000007
【図６】
2011196016.tif 000008
【図７】
2011196016.tif 000009
【図８】
2011196016.tif 000010
【図９】
2011196016.tif 000011
【図１０】
2011196016.tif 000012
【図１１】
2011196016.tif 000013
【図１２】
2011196016.tif 000014